(57)【要約】【課題】バッテリ利用時に自動取引装置の処理が終了されても利用可能な装置が存在するように電力供給を行うことが可能な自動取引装置、制御方法およびプログラムを提供する。【解決手段】自動取引装置であって、バッテリを電源とする電力供給を行う電力供給部と、前記自動取引装置内の装置の制御を行う制御部と、前記制御部の処理状態を監視する監視部と、を備え、前記電力供給部は、前記監視部により前記制御部の前記装置に対する制御処理が終了されたと判断されると、前記装置向けの電力供給が停止された状態で、かつ前記装置向けの電力供給と異なる電力供給が行われている状態となるように電力供給を行う、自動取引装置が提供される。【選択図】図１
2015138483.tif 000002
【特許請求の範囲】
【請求項１】
自動取引装置であって、
バッテリを電源とする電力供給を行う電力供給部と、
前記自動取引装置内の装置の制御を行う制御部と、
前記制御部の処理状態を監視する監視部と、
を備え、
前記電力供給部は、前記監視部により前記制御部の前記装置に対する制御処理が終了されたと判断されると、前記装置向けの電力供給が停止された状態で、かつ前記装置向けの電力供給と異なる電力供給が行われている状態となるように電力供給を行う、自動取引装置。
【請求項２】
前記電力供給部は、前記装置向けの電力供給と異なる電力供給を複数行い、前記装置向けの電力供給と異なる複数の電力供給のうちの１の電力供給を交流で行う、請求項１に記載の自動取引装置。
【請求項３】
前記電力供給部は、前記装置向けの電力供給と異なる電力供給を複数行い、前記装置向けの電力供給と異なる複数の電力供給のうちの少なくとも１の電力供給を直流で行う、請求項１に記載の自動取引装置。
【請求項４】
前記電力供給部は、前記制御部に対して、前記装置向けの電力供給と異なる複数の電力供給のうちの１の電力供給を直流で行い、前記制御部に対して直流で行われる電力供給と異なる直流の電力供給を行う、請求項３に記載の自動取引装置。
【請求項５】
前記電力供給部は、前記制御部に対して、前記装置向けの電力供給と異なる複数の電力供給のうちの１の電力供給を直流で行い、
前記制御部は、前記電力供給部により供給される電力を複数に分配して供給する、請求項３に記載の自動取引装置。
【請求項６】
前記電力供給部は、前記監視部により前記制御部の前記装置に対する制御処理が終了されたと判断されると、前記装置向けの電力供給を停止させ、前記装置向けの電力供給と異なる電力供給を継続させる、請求項１〜５のいずれか１項に記載の自動取引装置。
【請求項７】
前記電力供給部により供給される電力の制御を行う供給制御部をさらに備え、
前記供給制御部は、前記電力供給部による電力供給の開始および停止の制御を行い、
前記装置向けの電力供給と異なる電力供給における電力量を前記装置に供給される電力量よりも少なくする、請求項１〜６のいずれか１項に記載の自動取引装置。
【請求項８】
前記電力供給部は、さらに外部交流電源装置から供給される電力を電源とする電力供給を行い、
前記外部交流電源装置からの電力供給が停止すると、前記バッテリを電源とする電力供給に切り替える、請求項１〜７のいずれか１項に記載の自動取引装置。
【請求項９】
前記制御部は、前記装置の制御処理中に前記外部交流電源装置からの電力供給が停止された場合、前記装置の制御処理における一連の処理が終了するまで処理を継続する、請求項８に記載の自動取引装置。
【請求項１０】
バッテリを電源とする電力供給を行うことと、
自動取引装置内の装置の制御を行うことと、
制御部の処理状態を監視することと、
前記制御部の前記装置に対する制御処理が終了されたと判断されると、前記装置向けの電力供給が停止された状態で、かつ前記装置向けの電力供給と異なる電力供給が行われている状態となるように電力供給を行うことと、
を含む制御方法。
【請求項１１】
自動取引装置内の装置の制御を行う制御機能と、
前記制御機能の処理状態を監視する監視機能と、
バッテリを電源とする電力供給を行い、前記監視機能により前記制御機能の前記装置に対する制御処理が終了されたと判断されると、前記装置向けの電力供給が停止された状態で、かつ前記装置向けの電力供給と異なる電力供給が行われている状態となるように電力供給を行う電力供給機能と、
をコンピュータに実現させるためのプログラム。
【発明の詳細な説明】
【技術分野】
【０００１】
本発明は、自動取引装置、制御方法およびプログラムに関する。
【背景技術】
【０００２】
近年、ＡＴＭ（Ａｕｔｏｍａｔｅｄ  Ｔｅｌｌｅｒ  Ｍａｃｈｉｎｅ）等の自動取引装置が、金融機関の施設内だけでなく、コンビニエンスストアまたは駅構内といった様々な場所に設置されている。しかし、コンビニエンスストア等は、店舗面積が狭いため、停電時等に自動取引装置に電力供給するための電源、例えば、無停電電源装置等を設置することができない場合がある。
【０００３】
これに対し、特許文献１では、ユーザの取引操作中に、停電等により外部交流電源から電力供給が停止した場合、電源をバッテリに切り替え、当該取引操作に係る処理が終了するまで処理を継続する発明が開示されている。
【先行技術文献】
【特許文献】
【０００４】
【特許文献１】特開平７−３２５９５６号公報
【発明の概要】
【発明が解決しようとする課題】
【０００５】
しかし、特許文献１で開示されている発明では、電源がバッテリに切替えられた後に操作中の取引処理が終了すると、自動取引装置による取引が停止され、自動取引装置に付属されている装置についても利用が停止されるという問題があった。
【０００６】
そこで、本発明は、上記問題に鑑みてなされたものであり、本発明の目的とするところは、バッテリ利用時に自動取引装置の処理が終了されても利用可能な装置が存在するように電力供給を行うことが可能な、新規かつ改良された自動取引装置、制御方法およびプログラムを提供することにある。
【課題を解決するための手段】
【０００７】
上記課題を解決するために、本発明のある観点によれば、自動取引装置であって、バッテリを電源とする電力供給を行う電力供給部と、前記自動取引装置内の装置の制御を行う制御部と、前記制御部の処理状態を監視する監視部と、を備え、前記電力供給部は、前記監視部により前記制御部の前記装置に対する制御処理が終了されたと判断されると、前記装置向けの電力供給が停止された状態で、かつ前記装置向けの電力供給と異なる電力供給が行われている状態となるように電力供給を行う、自動取引装置が提供される。
【０００８】
また、前記電力供給部は、前記装置向けの電力供給と異なる電力供給を複数行い、前記装置向けの電力供給と異なる複数の電力供給のうちの１の電力供給を交流で行ってもよい。
【０００９】
また、前記電力供給部は、前記装置向けの電力供給と異なる電力供給を複数行い、前記装置向けの電力供給と異なる複数の電力供給のうちの少なくとも１の電力供給を直流で行ってもよい。
【００１０】
また、前記電力供給部は、前記制御部に対して、前記装置向けの電力供給と異なる複数の電力供給のうちの１の電力供給を直流で行い、前記制御部に対して直流で行われる電力供給と異なる直流の電力供給を行ってもよい。
【００１１】
また、前記電力供給部は、前記制御部に対して、前記装置向けの電力供給と異なる複数の電力供給のうちの１の電力供給を直流で行い、前記制御部は、前記電力供給部により供給される電力を複数に分配して供給してもよい。
【００１２】
また、前記電力供給部は、前記監視部により前記制御部の前記装置に対する制御処理が終了されたと判断されると、前記装置向けの電力供給を停止させ、前記装置向けの電力供給と異なる電力供給を継続させてもよい。
【００１３】
また、前記電力供給部により供給される電力の制御を行う供給制御部をさらに備え、前記供給制御部は、前記電力供給部による電力供給の開始および停止の制御を行い、前記装置向けの電力供給と異なる電力供給における電力量を前記装置に供給される電力量よりも少なくしてもよい。
【００１４】
また、前記電力供給部は、さらに外部交流電源装置から供給される電力を電源とする電力供給を行い、前記外部交流電源装置からの電力供給が停止すると、前記バッテリを電源とする電力供給に切り替えてもよい。
【００１５】
また、前記制御部は、前記装置の制御処理中に前記外部交流電源装置からの電力供給が停止された場合、前記装置の制御処理における一連の処理が終了するまで処理を継続してもよい。
【００１６】
また、上記課題を解決するために、本発明の別の観点によれば、バッテリを電源とする電力供給を行うことと、自動取引装置内の装置の制御を行うことと、制御部の処理状態を監視することと、前記制御部の前記装置に対する制御処理が終了されたと判断されると、前記装置向けの電力供給が停止された状態で、かつ前記装置向けの電力供給と異なる電力供給が行われている状態となるように電力供給を行うことと、を含む制御方法が提供される。
【００１７】
また、上記課題を解決するために、本発明の別の観点によれば、自動取引装置内の装置の制御を行う制御機能と、前記制御機能の処理状態を監視する監視機能と、バッテリを電源とする電力供給を行い、前記監視機能により前記制御機能の前記装置に対する制御処理が終了されたと判断されると、前記装置向けの電力供給が停止された状態で、かつ前記装置向けの電力供給と異なる電力供給が行われている状態となるように電力供給を行う電力供給機能と、をコンピュータに実現させるためのプログラムが提供される。
【発明の効果】
【００１８】
以上説明したように本発明によれば、バッテリ利用時に自動取引装置の処理が終了されても利用可能な装置が存在するように電力供給を行うことが可能な自動取引装置、制御方法およびプログラムが提供される。
【図面の簡単な説明】
【００１９】
【図１】本発明の一実施形態に係る自動取引装置の概要を説明するための図である。
【図２】本発明の第１の実施形態に係る自動取引装置の概略的な機能構成を示すブロック図である。
【図３】本発明の第１の実施形態に係る自動取引装置の備えるＢＢＵの概略的な物理構成を示す図である。
【図４】本発明の第１の実施形態における自動取引装置の処理を概念的に示すフローチャートである。
【図５】本発明の第２の実施形態に係る自動取引装置の備えるＢＢＵの概略的な物理構成を示す図である。
【図６】本発明の第３の実施形態に係る自動取引装置の概略的な機能構成を示すブロック図である。
【図７】本発明の第３の実施形態に係る自動取引装置の備えるＢＢＵおよび制御部の一部の概略的な物理構成を示す図である。
【図８】本発明の一実施形態に係る自動取引装置のハードウェア構成を示した説明図である。
【発明を実施するための形態】
【００２０】
以下に添付図面を参照しながら、本発明の好適な実施の形態について詳細に説明する。なお、本明細書及び図面において、実質的に同一の機能を有する構成要素については、同一の符号を付することにより重複説明を省略する。
【００２１】
＜１．自動取引装置の概要＞
まず、図１を参照して、本発明の一実施形態に係る自動取引装置の概要を説明する。図１は、本発明の一実施形態に係る自動取引装置の概要を説明するための図である。
【００２２】
自動取引装置１００は、ユーザの操作に応じて取引処理を行う。また、自動取引装置１００は、外部交流電源２００または内蔵するバッテリから電力供給を受けて取引処理を行う。そのため、自動取引装置１００は、外部交流電源２００からの電力供給が停止されても、内蔵するバッテリから電力供給を受けて取引処理を継続することが可能である。また、自動取引装置１００は、直接的に制御しない外部装置を備える。例えば、外部装置は、ガイダンスフォン１１８等であり得る。自動取引装置１００は、取引処理に係る動作が可能な状態である場合、ガイダンスフォン１１８に電力供給を行う。そのため、自動取引装置１００の取引処理に係る動作が停止され、自動取引装置１００からの電力供給が停止されると、ガイダンスフォン１１８は動作を停止する。
【００２３】
例えば、図１の左図に示したように、自動取引装置１００は、外部交流電源２００から電力供給を受けて取引処理を行うことが可能である。また、ガイダンスフォン１１８は、自動取引装置１００が動作中であるため、自動取引装置１００からの電力供給を受けて動作することが可能である。また、図１の中図に示したように、外部交流電源２００からの電力供給が停止されても、自動取引装置１００は、内蔵するバッテリから電力供給を受けて取引処理を継続することが可能である。また、ガイダンスフォン１１８も、自動取引装置１００が動作を継続しているため、自動取引装置１００から電力供給を受けて動作を継続することが可能である。
【００２４】
ここで、自動取引装置１００は、取引処理中に、外部交流電源からバッテリからの電力供給に切り替えられると、バッテリの電力消耗を抑制するため、当該取引処理が終了した後に取引処理に係る動作を停止する機能を備える。このため、自動取引装置１００の取引処理が終了された場合に、ガイダンスフォン１１８も動作を停止するとなると、例えば、取引処理が異常終了した場合、ユーザは問合せ等のために別の手段を探すことになる。そこで、自動取引装置１００は、バッテリから電力供給を受けている状態において行われていた取引処理が終了された場合であっても、ガイダンスフォン１１８向けの電力供給を継続する。
【００２５】
例えば、図１の中図に示した状態で、自動取引装置１００の取引処理が終了されると、図１の右図に示したように、自動取引装置１００は、取引処理に係る動作を停止する。しかし、自動取引装置１００は、ガイダンスフォン１１８向けの電力供給を継続するため、ガイダンスフォン１１８は、動作を継続することが可能である。
【００２６】
このように、本発明の一実施形態に係る自動取引装置１００は、バッテリから電力供給を受けている状態で取引処理が終了されても、ガイダンスフォン１１８向けの電力供給を継続する。このため、ガイダンスフォン１１８の動作は継続されることにより、ユーザの利便性を向上させることが可能となる。なお、説明の便宜上、第１〜第３の実施形態による自動取引装置１００および自動取引装置１００の備える機能の各々を、自動取引装置１００−１〜自動取引装置１００−３のように、末尾に実施形態に対応する番号を付することにより区別する。
【００２７】
＜２．第１の実施形態（ＡＣ電力供給の例）＞
以上、本発明の一実施形態に係る自動取引装置１００の概要について説明した。次に、本発明の第１の実施形態に係る自動取引装置１００−１について説明する。本実施形態では、自動取引装置１００−１は、自動取引装置１００−１内の他の装置向けのＡＣ電力供給とは別に、ガイダンスフォン１１８向けのＡＣ電力供給を行う。
【００２８】
［２−１．自動取引装置の機能構成］
まず、図２を参照して、本発明の第１の実施形態に係る自動取引装置１００−１の機能構成について説明する。図２は、本発明の第１の実施形態に係る自動取引装置１００−１の概略的な機能構成を示すブロック図である。
【００２９】
図２に示したように、自動取引装置１００−１は、制御部１０２−１、ログ取得制御部１０４、入出力ユニット１０６、バッテリバックアップユニット（以下、ＢＢＵとも呼ぶ。）１０８−１、内部電源ユニット１１７およびガイダンスフォン１１８を備える。
【００３０】
制御部１０２−１は、取引処理に応じて入出力ユニット１０６の制御を行う。具体的には、制御部１０２−１は、ユーザ操作に対する取引処理を実行し、実行される取引処理に応じて入出力ユニット１０６に対し動作指示等を行う。なお、制御部１０２−１は、自動取引装置１００と併設されるルータおよびファン等の入出力ユニット１０６以外の装置にも動作指示を行い得る。
【００３１】
また、制御部１０２−１は、取引処理中に外部交流電源２００からの電力供給が停止された場合、取引処理における一連の処理が終了するまで処理を継続する。具体的には、制御部１０２−１は、監視部１１０より電源が外部交流電源２００からバッテリ１１４に切り替えられた旨の通知を受けた際に、取引処理中であれば、当該取引処理における所定の処理が完了されるまでの間、処理を継続する。例えば、所定の処理は、取引終了の操作または挿入されたカード等の返却処理等であり得る。このため、取引処理を所定の処理まで継続させることにより、ユーザの利便性を向上させることが可能となる。なお、所定の処理が完了すると、制御部１０２−１は、取引処理を終了させ、取引処理に係る動作を停止する。
【００３２】
ログ取得制御部１０４は、自動取引装置１００の取引処理に係る動作が停止している間に、自動取引装置１００に対して行われた操作を記録する。具体的には、ログ取得制御部１０４は、制御部１０２−１および入出力ユニット１０６に対する電力供給が停止されている状態において、自動取引装置１００の備える部位に対する操作、例えば、ドアの開放等が行われると、当該操作をログとして記録する。
【００３３】
入出力ユニット１０６は、制御部１０２−１の動作指示に基づいて取引に係る動作を行う。具体的には、入出力ユニット１０６は、制御部１０２−１からの動作指示に基づいて、取引処理におけるユーザインターフェースとして動作する。例えば、入出力ユニット１０６は、タッチパネル、カードリーダライタ、明細票印字装置、通帳読取／印字装置、紙幣入出金処理装置および硬貨入出金処理装置等であり得る。
【００３４】
ＢＢＵ１０８−１は、自動取引装置１００−１における電力供給の制御を行う。ＢＢＵ１０８−１は、監視部１１０、供給制御部１１２、バッテリ１１４および電力供給部１１６を備える。
【００３５】
監視部１１０は、制御部１０２−１の処理状態の監視を行う。具体的には、監視部１１０は、制御部１０２−１から取引処理の実行状態に係る情報を取得し、制御部１０２−１が取引処理の実行を終了したかの判定を行う。そして、制御部１０２−１が取引状態の実行を終了したと判定された場合、監視部１１０は、供給制御部１１２に制御開始指示の通知を行う。
【００３６】
供給制御部１１２は、電力供給部１１６により行われる電力供給の制御を行う。具体的には、供給制御部１１２は、電力供給部１１６による電力供給の開始および停止、ならびに供給される電力量の制御を行う。例えば、供給制御部１１２は、監視部１１０から受ける制御開始指示に基づいて、ガイダンスフォン１１８向けの電力供給は継続させたまま、制御部１０２−１および入出力ユニット１０６向けの電力供給を停止させ得る。このため、自動取引装置１００の置かれた状況に合わせて電力供給が制御されることにより、電力の浪費を抑制することが可能となる。また、供給制御部１１２は、バッテリ１１４に電源が切り替えられた場合、ガイダンスフォン１１８向けの電力供給に係る電力量を、外部交流電源２００が電源として利用された場合よりも低くさせ得る。このため、バッテリから供給される電力量が管理されることにより、省電力化が可能となる。なお、ガイダンスフォン１１８向けの電力供給の継続は、取引処理が終了すると見込まれる所定の時間だけ行われ得る。例えば、自動取引装置１００の動作の停止後、約３０分程度であり得る。
【００３７】
バッテリ１１４は、自動取引装置１００等に電力供給を行う予備電源である。また、バッテリ１１４は、外部交流電源２００から電力供給が行われている場合、供給される電力で充電を行う。
【００３８】
電力供給部１１６は、外部交流電源２００またはバッテリ１１４を電源として電力供給を行う。具体的には、電力供給部１１６は、制御部１０２−１、内部電源ユニット１１７およびガイダンスフォン１１８にＡＣ電力供給を行い、ログ取得制御部１０４にＤＣ電力供給を行う。なお、制御部１０２−１および入出力ユニット１０６向けの電力供給（以下、内部電源ユニット１１７向けの電力供給とも呼ぶ。）は、制御部１０２−１により制御される自動取引装置１００内の装置向けの電力供給の一例である、１の電力供給の分岐により実現される。
【００３９】
また、電力供給部１１６は、外部交流電源２００から供給される電力を電源とする電力供給を行い、外部交流電源２００からの電力供給が停止すると、バッテリ１１４を電源とする電力供給に切り替える。このため、外部交流電源２００から供給される電力が利用されることにより、バッテリ１１４の電力消耗を抑制することが可能となる。また、自動的に電源が切り替えられることにより、自動取引装置１００の動作を停止させずに済み、ユーザの利便性を向上させることが可能となる。
【００４０】
さらに、電力供給部１１６は、供給制御部１１２からの指示に基づいて、電力供給を行う。具体的には、電力供給部１１６は、供給制御部１１２からの指示に基づいて、内部電源ユニット１１７向けの電力供給を停止させ、ログ取得制御部１０４およびガイダンスフォン１１８向けの電力供給を継続させる。このため、制御部１０２−１および入出力ユニット１０６とガイダンスフォン１１８とで別途の電力供給を行うことにより、取引処理が終了されてもガイダンスフォン１１８の動作を継続させることが可能となる。
【００４１】
内部電源ユニット１１７は、供給された電力のＡＣ／ＤＣ変換および分配等を行う。具体的には、内部電源ユニット１１７は、電力供給部１１６から供給された電力のＡＣ／ＤＣ変換を行い、変換された電力を制御部１０２−１および入出力ユニット１０６に分配して供給する。
【００４２】
ガイダンスフォン１１８は、通話機能を有する通信装置である。例えば、ガイダンスフォン１１８は、所定の通話相手先と通話可能なように設定されており、受話器を取ると通信が開始され得る。所定の通話相手先は、例えば、自動取引装置１００の動作に対する問合せ対応を行うサービスセンター等であり得る。
【００４３】
［２−２．自動取引装置の物理構成］
次に、図３を参照して、本発明の第１の実施形態に係る自動取引装置１００−１の備えるＢＢＵ１０８−１の物理構成について説明する。図３は、本発明の第１の実施形態に係る自動取引装置１００−１の備えるＢＢＵ１０８−１の概略的な物理構成を示す図である。
【００４４】
図３に示したように、ＢＢＵ１０８−１は、入力フィルタ１３２、バッテリ充電回路１３４、バッテリ１１４、昇圧回路１３６、コントローラ１３８、インバータ１４０、リレー１４２、出力フィルタ１４４、インバータ１４６、リレー１４８、出力フィルタ１５０およびＤＣ／ＤＣコンバータ１５２を備える。
【００４５】
入力フィルタ１３２は、外部交流電源２００からのＡＣ入力に対して、所定の周波数でフィルタリングを行う装置である。例えば、入力フィルタ１３２は、高調波フィルタまたはノイズフィルタ等であり得る。
【００４６】
バッテリ充電回路１３４は、入力フィルタ１３２によるフィルタリング後のＡＣ入力を基に、バッテリ１１４に対して充電を行う回路である。
【００４７】
昇圧回路１３６は、バッテリ１１４からのＤＣ入力に係る電圧を上昇させる回路である。
【００４８】
コントローラ１３８は、監視部１１０および供給制御部１１２として機能し、昇圧回路１３６からのＤＣ入力を基に、インバータ１４０およびインバータ１４６に対するＤＣ出力の制御を行う装置である。例えば、コントローラ１３８は、マイクロコンピュータ等であり、制御部１０２−１から得られる信号およびマイクロコンピュータに内蔵されるメモリに記憶される数値等から、インバータ１４０およびインバータ１４６に提供する電力量の演算を行い得る。そして、コントローラ１３８は、演算された値の電力量に相当するＤＣ出力を、インバータ１４０およびインバータ１４６に対して行い得る。また、コントローラ１３８は、制御部１０２−１の取引処理の終了を示す信号を受信すると、インバータ１４０に対するＤＣ出力を停止する。これにより、後述する出力フィルタ１４４による内部電源ユニット１１７向けのＡＣ出力が停止される。
【００４９】
インバータ１４０およびインバータ１４６は、コントローラ１３８から得られるＤＣ入力に対してＤＣ／ＡＣ変換を行う回路である。
【００５０】
リレー１４２は、入力フィルタ１３２からのＡＣ入力とインバータ１４０からのＡＣ入力とを切り替えて、出力フィルタ１４４にＡＣ出力を提供する装置である。例えば、リレー１４２は、入力フィルタ１３２からＡＣ入力が得られる場合、入力フィルタ１３２からのＡＣ入力を選択し、入力フィルタ１３２からＡＣ入力が得られない場合、インバータ１４０からのＡＣ入力を選択する。
【００５１】
出力フィルタ１４４は、リレー１４２から得られるＡＣ入力に対して、所定の周波数でフィルタリングを行い、ＢＢＵ１０８−１の外部にＡＣ出力を提供する装置である。例えば、出力フィルタ１４４は、高調波フィルタまたはノイズフィルタ等であり得る。なお、本実施形態では、出力先は、内部電源ユニット１１７である。
【００５２】
リレー１４８は、入力フィルタ１３２からＡＣ入力とインバータ１４６からＡＣ入力とを切り替えて、出力フィルタ１５０にＡＣ出力を提供する装置である。
【００５３】
出力フィルタ１５０は、リレー１４８から得られるＡＣ入力に対して、所定の周波数でフィルタリングを行い、ＢＢＵ１０８−１の外部にＡＣ出力を提供する装置である。なお、本実施形態では、出力先は、ガイダンスフォン１１８である。
【００５４】
ＤＣ／ＤＣコンバータ１５２は、バッテリ１１４からのＤＣ入力に係る電圧を上昇または下降させる回路である。また、ＤＣ／ＤＣコンバータ１５２は、ログ取得制御部１０４に対してＤＣ出力を提供する。
【００５５】
［２−３．自動取引装置の処理］
次に、本発明の第１の実施形態における自動取引装置１００−１の処理について図４を参照して説明する。図４は、本発明の第１の実施形態における自動取引装置１００−１の処理を概念的に示すフローチャートである。
【００５６】
まず、自動取引装置１００−１は、外部交流電源２００の電力供給が停止されるまで、取引処理を行う状態を継続する（ステップＳ３０２）。具体的には、制御部１０２−１は、監視部１１０より電源が外部交流電源２００からバッテリ１１４に切り替えられた旨の通知を受けるまでの間、取引処理を行うかまたは待機する。
【００５７】
ステップＳ３０２にて、外部交流電源２００の電力供給が停止された場合、自動取引装置１００は、バッテリ１１４に電源を切り替える（ステップＳ３０４）。具体的には、電力供給部１１６は、外部交流電源２００からの電力供給が停止されると、バッテリ１１４からの電力供給に切り替えて、電力供給を継続させる。なお、バッテリ１１４に電源が切り替えられると、監視部１１０は、制御部１０２−１にバッテリ１１４に切り替えられた旨の通知を行う。
【００５８】
次に、自動取引装置１００は、取引処理が終了しているかの判定を行う（ステップＳ３０６）。具体的には、監視部１１０は、制御部１０２−１から取引処理の実行状態を取得し、制御部１０２−１が取引処理の実行を終了したかの判定を行う。
【００５９】
ステップＳ３０６にて、取引処理が終了していると判定された場合、自動取引装置１００は、制御部１０２−１および内部電源ユニット１１７向けの電力供給を停止する（ステップＳ３０８）。具体的には、取引処理の実行を終了したと判定されると、監視部１１０は、供給制御部１１２に制御開始指示を通知し、当該通知を受けた供給制御部１１２は、電力供給部１１６に、内部電源ユニット１１７向けの電力供給を停止させる。
【００６０】
このように、本発明の第１の実施形態によれば、自動取引装置１００−１は、バッテリ１１４から電力供給を受けている状態で取引処理が終了されても、ガイダンスフォン１１８向けのＡＣ電力供給を継続する。このため、内部電源ユニット１１７向け電力供給と異なる電力供給がガイダンスフォン１１８向けに行われることにより、内部電源ユニット１１７向けの電力供給が停止されても、ガイダンスフォン１１８の継続利用が可能となる。また、ＡＣ電力がガイダンスフォン１１８に供給されることにより、既存のＡＣ入力仕様のガイダンスフォン１１８をそのまま利用することが可能となる。
【００６１】
＜３．第２の実施形態（ＤＣ電力供給の例）＞
以上、本発明の第１の施形態に係る自動取引装置１００−１について説明した。次に、本発明の第２の実施形態に係る自動取引装置１００−２について説明する。本実施形態では、自動取引装置１００−２は、ログ取得制御部１０４向けのＤＣ電力供給とは別に、ガイダンスフォン１１８向けのＤＣ電力供給を行う。
【００６２】
［３−１．自動取引装置の機能構成］
本発明の第２の実施形態に係る自動取引装置１００−２の機能構成は、第１の実施形態に係る自動取引装置１００−１の機能構成と実質的に同一であるため説明を省略する。
【００６３】
［３−２．自動取引装置の物理構成］
次に、図５を参照して、本発明の第２の実施形態に係る自動取引装置１００−２の備えるＢＢＵ１０８−２の物理構成について説明する。図５は、本発明の第２の実施形態に係る自動取引装置１００−２の備えるＢＢＵ１０８−２の概略的な物理構成を示す図である。
【００６４】
図５に示したように、ＢＢＵ１０８−２は、入力フィルタ１３２、バッテリ充電回路１３４、バッテリ１１４、昇圧回路１３６、コントローラ１３８、インバータ１４０、リレー１４２、出力フィルタ１４４およびＤＣ／ＤＣコンバータ１５２に加え、コントローラ１６０およびＤＣ／ＤＣコンバータ１６２を備える。
【００６５】
コントローラ１６０は、供給制御部１１２の一部として機能し、バッテリ１１４からのＤＣ入力を基に、ＤＣ／ＤＣコンバータ１５２およびＤＣ／ＤＣコンバータ１６２に提供するＤＣ出力の制御を行う装置である。
【００６６】
ＤＣ／ＤＣコンバータ１６２は、コントローラ１６０からのＤＣ入力に係る電圧を上昇または下降させる回路である。また、ＤＣ／ＤＣコンバータ１６２は、ガイダンスフォン１１８に対してＤＣ出力を提供する。
【００６７】
［３−３．自動取引装置の処理］
本発明の第２の実施形態に係る自動取引装置１００−２の処理は、第１の実施形態に係る自動取引装置１００−１の処理と実質的に同一であるため説明を省略する。
【００６８】
このように、本発明の第２の実施形態によれば、自動取引装置１００−２は、ログ取得制御部１０４向けのＤＣ電力供給とは別に、ガイダンスフォン１１８向けのＤＣ電力供給を行う。このため、ＤＣ電力がガイダンスフォン１１８に供給されることにより、ＤＣ入力仕様のガイダンスフォン１１８を利用することができ、ＤＣ／ＡＣ変換等による電力損失を抑制することが可能となる。また、ＢＢＵ１０８−２にＤＣ電力供給の仕組みを追加することにより、ＤＣ電力供給を受ける側の装置等に与える影響を抑制することが可能となる。
【００６９】
＜４．第３の実施形態（供給電力の分配の例）＞
以上、本発明の第２の施形態に係る自動取引装置１００−２について説明した。次に、本発明の第３の実施形態に係る自動取引装置１００−３について説明する。本実施形態では、自動取引装置１００−３は、ログ取得制御部１０４向けの供給電力を制御部内供給制御部１２０により分岐させて、ガイダンスフォン１１８向けのＤＣ電力供給を行う。
【００７０】
［４−１．自動取引装置の機能構成］
まず、図６を参照して、本発明の第３の実施形態に係る自動取引装置１００−３の機能構成について説明する。図６は、本発明の第３の実施形態に係る自動取引装置１００−３の概略的な機能構成を示すブロック図である。
【００７１】
図６に示したように、自動取引装置１００−３は、制御部１０２−３、ログ取得制御部１０４、入出力ユニット１０６、バッテリバックアップユニット１０８−３、内部電源ユニット１１７およびガイダンスフォン１１８を備える。
【００７２】
制御部１０２−３は、制御部内供給制御部１２０を備える。
【００７３】
制御部内供給制御部１２０は、電力供給部１１６から受けた供給電力の制御を行う。具体的には、制御部内供給制御部１２０は、供給電力を基に、ログ取得制御部１０４向けおよびガイダンスフォン１１８向けに電力供給を行う。なお、ログ取得制御部１０４向けおよびガイダンスフォン１１８向けに供給する電力の電力量についても、供給制御部１１２による電力供給部１１６の制御と同様に、制御を行う。
【００７４】
［４−２．自動取引装置の物理構成］
次に、図７を参照して、本発明の第３の実施形態に係る自動取引装置１００−３の備えるＢＢＵ１０８−３および制御部１０２−３の一部の物理構成について説明する。図７は、本発明の第３の実施形態に係る自動取引装置１００−３の備えるＢＢＵ１０８−３および制御部１０２−３の一部の概略的な物理構成を示す図である。
【００７５】
図７に示したように、ＢＢＵ１０８−３は、入力フィルタ１３２、バッテリ充電回路１３４、バッテリ１１４、昇圧回路１３６、コントローラ１３８、インバータ１４０、リレー１４２、出力フィルタ１４４、ＤＣ／ＤＣコンバータ１５２を備える。
【００７６】
また、図７に示したように、制御部１０２−３は、コントローラ１７０、ＤＣ／ＤＣコンバータ１７２およびＤＣ／ＤＣコンバータ１７４を備える。
【００７７】
コントローラ１７０は、制御部内供給制御部１２０の一部として機能し、ＢＢＵ１０８−３のＤＣ／ＤＣコンバータ１５２からのＤＣ入力を基に、ＤＣ／ＤＣコンバータ１７２およびＤＣ／ＤＣコンバータ１７４に提供するＤＣ出力の制御を行う装置である。
【００７８】
ＤＣ／ＤＣコンバータ１７２は、コントローラ１７０からのＤＣ入力に係る電圧を上昇または下降させる回路である。また、ＤＣ／ＤＣコンバータ１７２は、ログ取得制御部１０４に対してＤＣ出力を提供する。
【００７９】
ＤＣ／ＤＣコンバータ１７４は、コントローラ１７０からのＤＣ入力に係る電圧を上昇または下降させる回路である。また、ＤＣ／ＤＣコンバータ１７４は、ガイダンスフォン１１８に対してＤＣ出力を提供する。
【００８０】
［４−３．自動取引装置の処理］
本発明の第３の実施形態に係る自動取引装置１００−３の処理は、第１の実施形態に係る自動取引装置１００−１の処理と実質的に同一であるため説明を省略する。
【００８１】
このように、本発明の第３の実施形態によれば、自動取引装置１００−３は、ログ取得制御部１０４向けの供給電力を分岐させて、ガイダンスフォン１１８向けのＤＣ電力供給を行う。このため、ＢＢＵ１０８−３にＤＣ電力供給の仕組みを追加することなく、ガイダンスフォン１１８にＤＣ電力供給を行うことが可能となる。
【００８２】
＜５．ハードウェア構成＞
以上、本発明の実施形態を説明した。上述した自動取引装置１００の処理は、ソフトウェアと、以下に説明する自動取引装置１００のハードウェアとの協働により実現される。
【００８３】
図８は、本発明の一実施形態に係る自動取引装置１００のハードウェア構成を示した説明図である。図８に示したように、自動取引装置１００は、ＣＰＵ（Ｃｅｎｔｒａｌ  Ｐｒｏｃｅｓｓｉｎｇ  Ｕｎｉｔ）１８０と、ＲＯＭ（Ｒｅａｄ  Ｏｎｌｙ  Ｍｅｍｏｒｙ）１８２と、ＲＡＭ（Ｒａｎｄｏｍ  Ａｃｃｅｓｓ  Ｍｅｍｏｒｙ）１８４と、内部バス１８６と、入出力インターフェース１８８と、入力部１９０と、出力部１９２と、ストレージ装置１９４と、ネットワークインターフェース１９６と、外部インターフェース１９８とを備える。
【００８４】
ＣＰＵ１８０は、演算処理装置および制御装置として機能し、各種プログラムと協働して自動取引装置１００内の制御部１０２、ログ取得制御部１０４、入出力ユニット１０６、監視部１１０、供給制御部１１２、電力供給部１１６、内部電源ユニット１１７および制御部内供給制御部１２０の動作を実現する。また、ＣＰＵ１８０は、マイクロプロセッサであってもよい。ＲＯＭ１８２は、ＣＰＵ１８０が使用するプログラムまたは演算パラメータ等を記憶する。ＲＡＭ１８４は、ＣＰＵ１８０の実行にいて使用するプログラムまたは実行において適宜変化するパラメータ等を一時記憶する。ＲＯＭ１８２およびＲＡＭ１８４により、自動取引装置１００内の記憶部の一部を実現する。ＣＰＵ１８０、ＲＯＭ１８２およびＲＡＭ１８４は、ＣＰＵバスなどから構成される内部バス１８６により相互に接続されている。
【００８５】
入力部１９０は、本実施形態にかかる自動取引装置１００の入出力ユニット１０６の一例として、マウス、キーボード、タッチパネル、ボタン、マイクロフォン、スイッチおよびレバーなどユーザが情報を入力するための入力手段と、ユーザによる入力に基づいて入力信号を生成し、ＣＰＵ１８０に出力する入力制御回路などから構成されている。自動取引装置１００のユーザは、入力部１９０を操作することにより、自動取引装置１００に対して各種のデータを入力したり処理動作を指示したりすることができる。
【００８６】
出力部１９２は、例えば、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置への出力を行う。さらに、出力部１９２は、スピーカおよびヘッドフォンなどの音声出力を行ってもよい。
【００８７】
ストレージ装置１９４は、データ格納用の装置である。ストレージ装置１９４は、記憶媒体、記憶媒体にデータを記録する記録装置、記憶媒体からデータを読み出す読出し装置および記憶媒体に記録されたデータを削除する削除装置等を含んでもよい。ストレージ装置１９４は、ＣＰＵ１８０が実行するプログラムや各種データを格納する。
【００８８】
ネットワークインターフェース１９６は、ネットワークに接続するための通信デバイスで構成され得る。また、ネットワークインターフェース１９６は、無線ＬＡＮ（Ｌｏｃａｌ  Ａｒｅａ  Ｎｅｔｗｏｒｋ）対応通信デバイスであっても、３ＧまたはＬＴＥ対応通信デバイスであっても、有線による通信を行うワイヤー通信デバイスであってもよい。
【００８９】
外部インターフェース１９８は、例えば、自動取引装置１００の外部の通信装置または周辺機器と接続するためのバスである。また、外部インターフェース１９８は、ＵＳＢ（Ｕｎｉｖｅｒｓａｌ  Ｓｅｒｉａｌ  Ｂｕｓ）であってもよい。
【００９０】
＜むすび＞
本発明の第１の実施形態によれば、内部電源ユニット１１７向け電力供給と異なる電力供給がガイダンスフォン１１８向けに行われることにより、内部電源ユニット１１７向けの電力供給が停止されても、ガイダンスフォン１１８の継続利用が可能となる。また、ＡＣ電力がガイダンスフォン１１８に供給されることにより、既存のＡＣ入力仕様のガイダンスフォン１１８をそのまま利用することが可能となる。また、本発明の第２の実施形態によれば、ＤＣ電力がガイダンスフォン１１８に供給されることにより、ＤＣ入力仕様のガイダンスフォン１１８を利用することができ、ＤＣ／ＡＣ変換等による電力損失を抑制することが可能となる。また、ＢＢＵ１０８−２にＤＣ電力供給の仕組みを追加することにより、ＤＣ電力供給を受ける側の装置等に与える影響を抑制することが可能となる。また、本発明の第３の実施形態によれば、ＢＢＵ１０８−３にＤＣ電力供給の仕組みを追加することなく、ガイダンスフォン１１８にＤＣ電力供給を行うことが可能となる。
【００９１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９２】
例えば、上記の第１の実施形態では、コントローラ１３８は、制御部１０２−１の取引処理の終了を示す信号を受信すると、インバータ１４０に対するＤＣ出力を停止するとしたが、本発明はかかる例に限定されない。例えば、リレー１４２は、制御部１０２−１の取引処理の終了を示す信号を受信すると、インバータ１４０からのＡＣ入力から入力フィルタ１３２からのＡＣ入力に切り替えてもよい。この場合、入力フィルタ１３２からのＡＣ入力は停止されているため、コントローラ１３８がインバータ１４０に対するＤＣ出力を停止した場合と同じ効果を得ることが可能となる。また、コントローラ１３８が用いられずに済み、コストを低減することが可能となる。
【００９３】
また、上記実施形態では、自動取引装置１００は、ガイダンスフォン１１８に対して電力供給を継続する例を示したが、電力供給を継続させる対象の装置は、ガイダンスフォン１１８に限られない。例えば、自動取引装置１００に係るセキュリティ装置等に対して、電力供給を継続させてもよい。このため、自動取引装置１００の動作の停止後にも動作が求められる装置に電力供給が行われることにより、自動取引装置１００の安全性またはユーザの利便性を向上させることが可能となる。
【００９４】
また、上記実施形態では、ガイダンスフォン１１８向けの電力供給が継続される例を説明したが、ガイダンスフォン１１８等の装置向けの電力供給は、自動取引装置１００の取引処理に係る動作が停止されてから開始されてもよい。このため、自動取引装置１００が動作する間のバッテリ１１４の電力消費を抑制することが可能となる。
【符号の説明】
【００９５】
１００    自動取引装置
１０２    制御部
１０４    ログ取得制御部
１０６    入出力ユニット
１０８    ＢＢＵ
１１０    監視部
１１２    供給制御部
１１４    バッテリ
１１６    電力供給部
１１７    内部電源ユニット
１１８    ガイダンスフォン
１２０    制御部内供給制御部
２００    外部交流電源
【図１】
2015138483.tif 000003
【図２】
2015138483.tif 000004
【図３】
2015138483.tif 000005
【図４】
2015138483.tif 000006
【図５】
2015138483.tif 000007
【図６】
2015138483.tif 000008
【図７】
2015138483.tif 000009
【図８】
2015138483.tif 000010